(57)【要約】            本発明による埋線施術用カニューレ（１００）は、先端部が塞がれたチューブ（１１０）と、前記チューブ（１１０）の側方に貫通された孔（１２０）と、を含むカニューレにおいて、前記チューブ（１１０）の内側に挿入されて、埋線（１３０）を前記孔（１２０）に案内するように配置されたボール（１４０）を含んで構成される。従って、刺（１３１）が孔（１２０）の前方端部（１２１）にかかって引出不可能になる現象を解決することができるという効果を奏する。【選択図】          図５
2017524407.tif 000002
【特許請求の範囲】
【請求項１】
先端部が塞がれたチューブ（１１０）と、
前記チューブ（１１０）の側方に埋線（１３０）が通過するように形成された孔（１２０）と、を含むカニューレにおいて、
前記チューブ（１１０）の内側に挿入されて固定され、前記孔（１２０）に埋線（１３０）を案内するように配置されたボール（１４０）を含むことを特徴とする埋線施術用カニューレ。
【請求項２】
前記ボール（１４０）は前記孔（１２０）の前方端部（１２１）と重なるように配置されたことを特徴とする請求項１に記載の埋線施術用カニューレ。
【請求項３】
前記ボール（１４０）の後方端部（１４３）が前記孔（１２０）の前方端部（１２１）と一致するように配置されたことを特徴とする請求項１に記載の埋線施術用カニューレ。
【請求項４】
前記孔（１２０）を通じて引出された埋線（１３０）を含むことを特徴とする請求項１〜３の中の何れか一項に記載の埋線施術用カニューレ。
【請求項５】
前記埋線（１３０）は側面に長さ方向に沿って配列された刺（１３１）を含んで構成されることを特徴とする請求項４に記載の埋線施術用カニューレ。
【発明の詳細な説明】
【技術分野】
【０００１】
本発明は埋線施術用カニューレに関し、より詳しくは、刺が形成された埋線が容易に通過することができるように構成された埋線施術用カニューレに関する。
【背景技術】
【０００２】
以下、添付図面を参照して本発明の背景技術を説明すれば次の通りである。
【０００３】
図１は背景技術として刺が上方を向ける状態で埋線がカニューレの孔を通過する過程をチューブの長さ方向に切断して示した断面図あり、図２は背景技術として刺が側方を向ける状態で埋線がカニューレの孔を通過する過程をチューブの幅方向に切断して示した断面図であり、図３は背景技術として刺が下方を向ける状態で埋線がカニューレの孔を通過する過程で刺が孔の前方端部にかかった状態をチューブの長さ方向に切断して示した断面図であり、一緒に説明する。
【０００４】
最近、埋線施術が脚光を浴びているが、その理由は埋線２０を皮下に挿入する簡単な施術で肌のしわをなくすことができるからである。この施術は従来のように肌を切開しなく、ボトックスのような毒物を皮下に注入しなくてもしわをなくすことができるので、安全な施術として認められている。
【０００５】
このような埋線施術をするために、先が尖った注射針を利用していたが、最近はカニューレ１０を使っている。上記カニューレ１０は先が鋭くないチューブ１１と、上記チューブ１１の先端部の側方に形成された孔１３とで構成され、本来は肌に刺入して体液や脂肪を吸い込んだり、薬液を投入する際に用いる。
【０００６】
埋線施術において、上記カニューレ１０を注射針より好む理由は、注射針は先が尖っているため、皮下挿入時、痛症を伴い、神経を損傷させる問題点があるが、カニューレ１０は先鋭くないので上記の問題点が発生しないからである。
【０００７】
このようなカニューレ１０を埋線施術に用いる場合、刺２３が形成された埋線２０をカニューレ１０の孔１３に入れて内部に収容されるようにする。そして、埋線２０の一部が外に露出された状態になるように埋線２０を外に引出させる。
【０００８】
このようにすることから皮下にカニューレ１０を挿入した後、カニューレ１０の先端部を押して引出された埋線２０が圧迫されるようにし、カニューレ１０を引出するので、皮下に埋線２０が残るようにすることができる。
【０００９】
上記施術で埋線２０には刺２３が一側方向を向けるように形成されるが、上記孔１３に挿入する時には刺２３が前方を向けるようにするので上記孔１３を通じて引出された埋線２０の刺２３は後方を向けるようになる。従って、皮下挿入時に、刺２３が肌を通過しながら倒れて痛症を減らすことができる。この時、チューブ１１の中にある埋線２０は刺２３が前方を向けても皮下組職と接しないので痛症を発生しない。また、チューブ１１に挿入される埋線２０の刺２３が後方を向けるようにすれば、孔１３を通じて引出された刺２３が前方を向けるようになるので、皮下に挿入する際に痛症を伴うことになる。
【００１０】
このように、カニューレ１０の孔１３に埋線２０が挿入された状態で、施術者は必要によって埋線２０を必要なだけさらに引出して施術する場合が発生する。この場合、埋線２０はチューブ１１内でよじれた状態であるので、刺２３は上方を向ける場合もあって、下方や側方を向ける場合もある。上記埋線２０は合成樹脂で成形され、細長い線材であるため、剛性を有するワイヤのように真っ直ぐに成形されないため、チューブ１１内に挿入する時に回転してよじれた状態になる。
【００１１】
ところが、刺２３が上方を向ける時には、孔１３の後方端部１７によって折られるので、容易に埋線２０を引出させることができる。
【００１２】
また、図２のように、刺２３が側方を向ける時にはチューブ１１の内側面１２が円形であるため、上方に上がるほど幅Ｖが狭くなって上記刺２３は折られて容易に埋線２０を引出することができる。
【００１３】
しかし、図３のように、刺２３が下方を向ける時には孔１３の前方端部１５にかかってしまって埋線２０の引出が不可能になる。
【発明の概要】
【発明が解決しようとする課題】
【００１４】
本発明による埋線施術用カニューレは刺が形成された埋線を孔に挿入した状態で施術に必要なだけ再び引出する時、刺が孔の前方端部にかかって引出が難しくなる現象を解決することを目的とする。
【課題を解決するための手段】
【００１５】
本発明による埋線施術用カニューレは、先端部が塞がれたチューブと、上記チューブの側方に埋線が通過するように形成された孔とを含むカニューレにおいて、上記チューブの内側に挿入されて固定され、上記孔に埋線を案内するように配置されたボールを含んで構成される。
【００１６】
また、上記孔の前方端部と上記ボールの後方端部とが一致するように構成される。
【００１７】
また、上記孔の前方端部と上記ボールが重なるように構成される。
【００１８】
また、上記チューブの後方に挿入されて上記孔を通じて引出された埋線を含んで構成される。
【００１９】
また、上記埋線は側面に長さ方向に沿って配列された刺を含んで構成される。
【発明の効果】
【００２０】
本発明による埋線施術用カニューレは、刺が形成された埋線をチューブの後方に挿入して前方に形成された孔を通じて引出する時刺が孔の前方端部にかかって引出を不可能にする現象を解決することができるという効果を奏する。
【図面の簡単な説明】
【００２１】
【図１】背景技術として刺が上方を向ける状態で埋線がカニューレの孔を通過する過程をチューブの長さ方向に切断して示した断面図である。
【図２】背景技術として刺が側方を向ける状態で埋線がカニューレの孔を通過する過程をチューブの幅方向に切断して示した断面図である。
【図３】背景技術として刺が下方を向ける状態で埋線がカニューレの孔を通過する過程で刺が孔の前方端部にかかった状態をチューブの長さ方向に切断して示した断面図である。
【図４】本発明による埋線施術用カニューレであって、埋線がチューブの内部でボールを向けて進む過程をチューブの長さ方向に切断して示した断面図であって、（ａ）はボールが内側先端部に密着された状態を示した図であり、（ｂ）はボールが内側先端部から離隔された状態を示した断面図である。
【図５】本発明による埋線施術用カニューレであって、刺が下方を向ける状態でボールを経て孔を通過する過程をチューブの長さ方向に切断して示した断面図である。
【図６】本発明による埋線施術用カニューレであって、埋線が孔を通過して引出された状態を示した斜視図である。
【図７】本発明による埋線施術用カニューレで皮下に埋線を残留させる施術過程を示した断面図である。
【発明を実施するための形態】
【００２２】
以下、添付される図面を参照して上記課題を解決するための本発明の実施例と使用例を説明すれば次の通りである。
【００２３】
図４は本発明による埋線施術用カニューレであって、埋線がチューブの内部でボールを向けて進む過程をチューブの長さ方向に切断して示した断面図であって、（ａ）はボールが内側先端部に密着された状態を示した図で、（ｂ）はボールが内側先端部から離隔された状態を示した断面図あり、図５は本発明による埋線施術用カニューレであって、刺が下方を向ける状態でボールを経て孔を通過する過程をチューブの長さ方向に切断して示した断面図あり、図６は本発明による埋線施術用カニューレであって、埋線が孔を通過して引出された状態を示した斜視図あり、図７は本発明による埋線施術用カニューレで皮下に埋線を残留させる施術過程を示した断面図であり、以下で説明する。
【００２４】
一般的に、カニューレは先端が鋭くないチューブ１１０と、上記チューブ１１０の側方に埋線１３０が通過するように形成された孔１２０とで構成される。上記チューブ１１０は一例として円筒管状に形成される。
【００２５】
本発明は上記孔１２０に埋線１３０を挿入してから埋線１３０を引出する時、上記孔１２０に刺１３１がかかる現象を防止することができるように構成したことを特徴とする。
【００２６】
そこで、本発明では次のように構成する。
【００２７】
上記チューブ１１０の内側に挿入されて固定され、埋線１３０を上記孔１２０に案内するように配置されたボール１４０を含む。
【００２８】
上記ボール１４０は埋線１３０を孔１２０に案内することができるように、後方端部１４３が孔１２０の前方端部１２１と一致するように構成することもでき、上記孔１２０の前方端部１２１と上記ボール１４０が重なるように構成することもできる。
【００２９】
上記ボール１４０は一例として強制嵌め込みによってチューブ１１０の内部に挿入されて構成されることもでき、接着剤によってチューブ１１０の内部に固定されることもできる。または、上記チューブ１１０を圧縮してボール１４０を圧迫するように構成することもできる。
【００３０】
また、上記チューブ１１０の孔１２０に挿入された後引出された埋線１３０を含む。
【００３１】
上記埋線１３０は側面に長さ方向に沿って配列された刺１３１を含む。上記刺１３１は一例として一側方向を向けて折られることができるように形成されたものであることができる。このように刺１３１が一側方向を向ける理由は製造時にカッターの刃を埋線１３０の胴に切入させて形成するからである。
【００３２】
上記の構成による本発明の使用例を説明すれば次の通りである。
【００３３】
上記チューブ１１０の孔１２０に埋線１３０を挿入してボール１４０の後方に収容されるようにする。そして、孔１２０の外部に埋線１３０の一部が露出された状態になるようにする。それから、施術者が施術する時に埋線１３０の露出された部分を取って必要なだけ引出して引っ張る。この時、チューブ１１０内で埋線１３０が回動して刺１３１が上下方向及び左右側方を向ける場合が発生する。
【００３４】
このようにして埋線１３０が孔１２０の外に引出される時、刺１３１が上方を向ける時には孔１２０の後方端部１２３に刺１３１が押されながら埋線１３０を連続的に引出することができる。
【００３５】
また、刺１３１が側方を向ける時にはチューブ１１０の内側面が円形であり、内側面の幅が上方に行くほど狭く形成されるので、自然に折られて埋線１３０を容易に引出することができる。
【００３６】
また、図４のように、刺１３１が下方を向ける時には刺１３１が上記ボール１４０の丸い曲面にぶつかりながら上方に引出される。それにより、連続的に埋線１３０を容易に引出するようになる。
【００３７】
このように、チューブ１１０の孔１２０に埋線１３０を挿入した後、施術する前に埋線１３０の引出長さを調整するために、チューブ１１０の外に埋線１３０を引っ張る時に刺１３１が孔１２０の前方端部１２１にかかる現象を防止することができる。
【００３８】
上記構成による本発明の施術例を図７を参照して説明すれば次の通りである。
【００３９】
上記チューブ１１０の孔１２０の外部に埋線１３０が引出された状態で、まず、肌に注射針を刺入してから抜き取る。そして、上記注射針で刺した所にチューブ１１０を挿入する。この時、チューブ１１０の先端が鋭くないので注射針より痛症が軽減され、神経が損傷される現象を防止することができる。このようにしてチューブ１１０を適正な深さに刺入した後、チューブ１１０の先端部を押して孔１２０の外に引出された埋線１３０が肌Ｓに圧迫される。その後、チューブ１１０を抜き出す。そして埋線１３０が皮下に残るようになる。
【００４０】
上記施術でチューブ１１０に挿入された刺１３１は前方を向けるようにするので、孔１２０の外に引出された埋線１３０の刺１３１は後方を向けるようになる。従って、皮下にチューブ１１０を挿入すれば、引出された埋線１３０の刺１３１は倒れ、チューブ１１０内部の刺は立てられた状態を保持するようになる。それにより、施術時に患者の痛症を軽減させることができる。引出された埋線１３０の刺１３１が前方を向けるようになれば、皮下に挿入する時、刺１３１が立てられた状態で挿入されるため痛症を伴うことになる。
【００４１】
このように、埋線１３０が皮下に残った状態で肌Ｓの外に１本の埋線１３０が出るようにした状態で刺１３１が立てられるように埋線１３０を取って引けば皮下で倒れていた刺１３１が立てられながら皮下に容易に埋線１３０が据え置きされるようにする。
【００４２】
本明細書で説明する実施例及び添付図面は本発明に含まれる技術的思想の一部を例示的に説明したことに過ぎない。従って、本明細書に開示された実施例は本発明の技術的思想を限定するためのものではなく、説明するためのものであるので、このような実施例によって本発明の技術的思想の範囲が限定されるのではないことは自明である。本発明の明細書及び図面に含まれた技術的思想の範囲内で当業者が簡単に類推することができる変形例及び具体的な実施例は何れも本発明の権利範囲に含まれるものと解釈すべきである。
【図１】
2017524407.tif 000003
【図２】
2017524407.tif 000004
【図３】
2017524407.tif 000005
【図４】
2017524407.tif 000006
【図５】
2017524407.tif 000007
【図６】
2017524407.tif 000008
【図７】
2017524407.tif 000009
【国際調査報告】
2017524407.tif 000010
2017524407.tif 000011
2017524407.tif 000012
2017524407.tif 000013